(57)【要約】  一実施形態に係る通信制御方法は、ユーザ装置がマスタノード及びセカンダリノードと同時に通信するデュアルコネクティビティ通信を制御するための方法である。前記通信制御方法は、前記ユーザ装置が、前記マスタノードとして機能する第１基地局と前記ユーザ装置との間の無線リンクの劣化を検知することと、前記ユーザ装置が、前記無線リンクの劣化に基づく第１メッセージを、前記セカンダリノードとして機能する第２基地局に送信することと、前記第１メッセージを受信した前記第２基地局が、前記デュアルコネクティビティ通信を復旧するために用いる第２メッセージを前記第１基地局に送信することとを含む。
2020166666.tif 000002
【特許請求の範囲】
【請求項１】
ユーザ装置がマスタノード及びセカンダリノードと同時に通信するデュアルコネクティビティ通信を制御するための通信制御方法であって、
前記ユーザ装置が、前記マスタノードとして機能する第１基地局と前記ユーザ装置との間の無線リンクの障害を検知することと、
前記ユーザ装置が、前記無線リンクの障害を前記第１基地局へ通知するための第１メッセージを、前記セカンダリノードとして機能する第２基地局と前記ユーザ装置との間に確立されるシグナリングベアラを介して、前記第２基地局に送信することと、
前記ユーザ装置が、前記第１基地局との通信を復旧するために前記第１基地局が前記ユーザ装置に設定するＲＲＣ設定を示す第２メッセージを、前記シグナリングベアラを介して前記第２基地局から受信することと、を含む
通信制御方法。
【請求項２】
前記ユーザ装置が、前記無線リンクの障害を検知した後において、前記第１基地局に対する無線環境の測定を継続することをさらに含む
請求項１に記載の通信制御方法。
【請求項３】
前記第１メッセージは、前記無線リンクの障害の種別を示す情報要素と、前記第１基地局の無線状態の測定結果を示す情報要素と、前記第２基地局の無線状態の測定結果を示す情報要素と、の少なくとも１つを含み、
請求項１に記載の通信制御方法。
【請求項４】
前記ユーザ装置が、前記第１メッセージの送信に応じてタイマを起動することと、
前記ユーザ装置が、前記第１基地局との通信を復旧することなく前記タイマが満了した場合、ＲＲＣ接続を確立するための手順を行うことをさらに含む
請求項１に記載の通信制御方法。
【発明の詳細な説明】
【技術分野】
【０００１】
本発明は、移動通信システムにおける通信制御方法に関する。
【背景技術】
【０００２】
従来、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ユーザ装置がマスタノード及びセカンダリノードと同時に通信するデュアルコネクティビティが規定されている。デュアルコネクティビティは、マスタノード及びセカンダリノードの両方からユーザ装置に無線リソースが割り当てられるため、高速且つ高信頼性の通信をユーザ装置が利用可能になる。【０００３】
このようなデュアルコネクティビティの通信中に、ユーザ装置がマスタノードとの無線リンクの劣化、例えば、無線リンク障害（ＲＬＦ：Ｒａｄｉｏ  Ｌｉｎｋ  Ｆａｉｌｕｒｅ）を検知した場合、デュアルコネクティビティ通信が終了し、ユーザ装置は、ＲＲＣ接続を他の基地局と再確立しうる。しかしながら、このような無線リンクの劣化後、ユーザ装置とマスタノードとの間の無線状態が改善しうるため、デュアルコネクティビティ通信を速やかに復旧可能とする仕組みを導入することが望まれる。
【発明の概要】
【０００４】
一実施形態に係る通信制御方法は、ユーザ装置がマスタノード及びセカンダリノードと同時に通信するデュアルコネクティビティ通信を制御するための方法である。前記通信制御方法は、前記ユーザ装置が、前記マスタノードとして機能する第１基地局と前記ユーザ装置との間の無線リンクの劣化を検知することと、前記ユーザ装置が、前記無線リンクの劣化に基づく第１メッセージを、前記セカンダリノードとして機能する第２基地局に送信することと、前記第１メッセージを受信した前記第２基地局が、前記デュアルコネクティビティ通信を復旧するために用いる第２メッセージを前記第１基地局に送信することと、を含む。
【図面の簡単な説明】
【０００５】
【図１】一実施形態に係る移動通信システムの構成を示す図である。
【図２】一実施形態に係るユーザ装置の構成を示す図である。
【図３】一実施形態に係る基地局の構成を示す図である。
【図４】一実施形態に係るユーザプレーンの無線インターフェイスのプロトコルスタックの構成を示す図である。
【図５】一実施形態に係る制御プレーンの無線インターフェイスのプロトコルスタックの構成を示す図である。
【図６】一実施形態に係るデュアルコネクティビティ（ＤＣ）を示す図である。
【図７】第１実施形態に係る移動通信システムの動作を示す図である。
【図８】第２実施形態に係る移動通信システムの動作を示す図である。
【図９】付記に係る図である。
【発明を実施するための形態】
【０００６】
図面を参照しながら、実施形態に係る移動通信システムについて説明する。図面の記載において、同一又は類似の部分には同一又は類似の符号を付している。
【０００７】
（移動通信システム）
まず、一実施形態に係る移動通信システムの構成について説明する。一実施形態に係る移動通信システムは３ＧＰＰの５Ｇシステムであるが、移動通信システムには、ＬＴＥ（Ｌｏｎｇ  Ｔｅｒｍ  Ｅｖｏｌｕｔｉｏｎ）が少なくとも部分的に適用されてもよい。
【０００８】
図１は、一実施形態に係る移動通信システムの構成を示す図である。
【０００９】
図１に示すように、移動通信システムは、ユーザ装置（ＵＥ：Ｕｓｅｒ  Ｅｑｕｉｐｍｅｎｔ）１００と、５Ｇの無線アクセスネットワーク（ＮＧ−ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）１０と、５Ｇのコアネットワーク（５ＧＣ：５Ｇ  Ｃｏｒｅ  Ｎｅｔｗｏｒｋ）２０とを有する。
【００１０】
ＵＥ１００は、移動可能な装置である。ＵＥ１００は、ユーザにより利用される装置であればどのような装置であってもよい。例えば、ＵＥ１００は、携帯電話端末（スマートフォンを含む）、タブレット端末、ノートＰＣ、通信モジュール（通信カード又はチップセットを含む）、センサ若しくはセンサに設けられる装置、車両若しくは車両に設けられる装置（Ｖｅｈｉｃｌｅ  ＵＥ）、又は飛行体若しくは飛行体に設けられる装置（Ａｅｒｉａｌ  ＵＥ）である。
【００１１】
ＮＧ−ＲＡＮ１０は、基地局（５Ｇシステムにおいて「ｇＮＢ」と呼ばれる）２００を含む。ｇＮＢ２００は、ＮＧ−ＲＡＮノードと呼ばれることもある。ｇＮＢ２００は、基地局間インターフェイスであるＸｎインターフェイスを介して相互に接続される。ｇＮＢ２００は、１又は複数のセルを管理する。ｇＮＢ２００は、自セルとの接続を確立したＵＥ１００との無線通信を行う。ｇＮＢ２００は、無線リソース管理（ＲＲＭ）機能、ユーザデータ（以下、単に「データ」という）のルーティング機能、及び／又はモビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１２】
なお、ｇＮＢがＬＴＥのコアネットワークであるＥＰＣ（Ｅｖｏｌｖｅｄ  Ｐａｃｋｅｔ  Ｃｏｒｅ）に接続されてもよいし、ＬＴＥの基地局が５ＧＣに接続されてもよい。また、ＬＴＥの基地局とｇＮＢとが基地局間インターフェイスを介して接続されてもよい。
【００１３】
５ＧＣ２０は、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）及びＵＰＦ（Ｕｓｅｒ  Ｐｌａｎｅ  Ｆｕｎｃｔｉｏｎ）３００を含む。ＡＭＦは、ＵＥ１００に対する各種モビリティ制御等を行う。ＡＭＦは、ＮＡＳ（Ｎｏｎ−Ａｃｃｅｓｓ  Ｓｔｒａｔｕｍ）シグナリングを用いてＵＥ１００と通信することにより、ＵＥ１００が在圏するエリアの情報を管理する。ＵＰＦは、データの転送制御を行う。ＡＭＦ及びＵＰＦは、基地局−コアネットワーク間インターフェイスであるＮＧインターフェイスを介してｇＮＢ２００と接続される。
【００１４】
図２は、ＵＥ１００（ユーザ装置）の構成を示す図である。
【００１５】
図２に示すように、ＵＥ１００は、受信部１１０、送信部１２０、及び制御部１３０を備える。
【００１６】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１７】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１８】
制御部１３０は、ＵＥ１００における各種の制御を行う。制御部１３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。
【００１９】
図３は、ｇＮＢ２００（基地局）の構成を示す図である。
【００２０】
図３に示すように、ｇＮＢ２００は、送信部２１０、受信部２２０、制御部２３０、及びバックホール通信部２４０を備える。
【００２１】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２２】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２３】
制御部２３０は、ｇＮＢ２００における各種の制御を行う。制御部２３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。
【００２４】
バックホール通信部２４０は、基地局間インターフェイスを介して隣接基地局と接続される。バックホール通信部２４０は、基地局−コアネットワーク間インターフェイスを介してＡＭＦ／ＵＰＦ３００と接続される。なお、ｇＮＢは、ＣＵ（Ｃｅｎｔｒａｌ  Ｕｎｉｔ）とＤＵ（Ｄｉｓｔｒｉｂｕｔｅｄ  Ｕｎｉｔ）とで構成され（すなわち、機能分割され）、両ユニット間がＦ１インターフェイスで接続されてもよい。
【００２５】
図４は、データを取り扱うユーザプレーンの無線インターフェイスのプロトコルスタックの構成を示す図である。
【００２６】
図４に示すように、ユーザプレーンの無線インターフェイスプロトコルは、物理（ＰＨＹ）レイヤと、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＳＤＡＰ（Ｓｅｒｖｉｃｅ  Ｄａｔａ  Ａｄａｐｔａｔｉｏｎ  Ｐｒｏｔｏｃｏｌ）レイヤとを有する。
【００２７】
ＰＨＹレイヤは、符号化・復号、変調・復調、アンテナマッピング・デマッピング、及びリソースマッピング・デマッピングを行う。ＵＥ１００のＰＨＹレイヤとｇＮＢ２００のＰＨＹレイヤとの間では、物理チャネルを介してデータ及び制御情報が伝送される。
【００２８】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｇＮＢ２００のＭＡＣレイヤとの間では、トランスポートチャネルを介してデータ及び制御情報が伝送される。ｇＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２９】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｇＮＢ２００のＲＬＣレイヤとの間では、論理チャネルを介してデータ及び制御情報が伝送される。
【００３０】
ＰＤＣＰレイヤは、ヘッダ圧縮・伸張、及び暗号化・復号化を行う。
【００３１】
ＳＤＡＰレイヤは、コアネットワークがＱｏＳ制御を行う単位であるＩＰフローとＡＳ（Ａｃｃｅｓｓ  Ｓｔｒａｔｕｍ）がＱｏＳ制御を行う単位である無線ベアラとのマッピングを行う。なお、ＲＡＮがＥＰＣに接続される場合は、ＳＤＡＰが無くてもよい。
【００３２】
図５は、シグナリング（制御信号）を取り扱う制御プレーンの無線インターフェイスのプロトコルスタックの構成を示す図である。
【００３３】
図５に示すように、制御プレーンの無線インターフェイスのプロトコルスタックは、図４に示したＳＤＡＰレイヤに代えて、ＲＲＣ（Ｒａｄｉｏ  Ｒｅｓｏｕｒｃｅ  Ｃｏｎｔｒｏｌ）レイヤ及びＮＡＳ（Ｎｏｎ−Ａｃｃｅｓｓ  Ｓｔｒａｔｕｍ）レイヤを有する。
【００３４】
ＵＥ１００のＲＲＣレイヤとｇＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｇＮＢ２００のＲＲＣとの間に接続（ＲＲＣ接続）がある場合、ＵＥ１００はＲＲＣコネクティッドモードにある。ＵＥ１００のＲＲＣとｇＮＢ２００のＲＲＣとの間に接続（ＲＲＣ接続）がない場合、ＵＥ１００はＲＲＣアイドルモードにある。また、ＲＲＣ接続が中断（サスペンド）されている場合、ＵＥ１００はＲＲＣインアクティブモードにある。
【００３５】
ＲＲＣレイヤの上位に位置するＮＡＳレイヤは、セッション管理及びモビリティ管理等を行う。ＵＥ１００のＮＡＳレイヤとＡＭＦ３００のＮＡＳレイヤとの間では、ＮＡＳシグナリングが伝送される。
【００３６】
なお、ＵＥ１００は、無線インターフェイスのプロトコル以外にアプリケーションレイヤ等を有する。
【００３７】
（デュアルコネクティビティ）
次に、デュアルコネクティビティ（ＤＣ）の概要について説明する。以下において、ＮＲアクセスを含むＤＣを主として想定する。このようなＤＣは、ＭＲ−ＤＣ（Ｍｕｌｔｉ−ＲＡＴ  ＤＣ）又はＭｕｌｔｉ−ｃｏｎｎｅｃｔｉｖｉｔｙと呼ばれることがある。図６は、ＤＣの一例を示す図である。
【００３８】
図６に示すように、ＤＣにおいて、複数の送受信機を有するＵＥ１００は、２つの異なるノード（２つの異なる基地局）によって提供されるリソースを利用するように設定される。一方の基地局はＮＲアクセスを提供し、他方の基地局はＥ−ＵＴＲＡ（ＬＴＥ）又はＮＲアクセスを提供する。図６の例において、基地局２００Ａ（第１基地局）はｅＮＢ又はｇＮＢであり、基地局２００Ｂ（第２基地局）はｅＮＢ又はｇＮＢであってもよい。
【００３９】
また、一方の基地局２００Ａがマスタノード（ＭＮ）として機能し、他方の基地局２００Ｂがセカンダリノード（ＳＮ）として機能する。ＭＮは、コアネットワークへの制御プレーン接続を提供する無線アクセスノードである。ＭＮは、マスタ基地局と呼ばれることがある。ＳＮは、コアネットワークへの制御プレーン接続を持たない無線アクセスノードである。ＳＮは、セカンダリ基地局と呼ばれることがある。
【００４０】
ＭＮとＳＮとはネットワークインターフェース（基地局間インターフェイス）を介して接続され、少なくともＭＮはコアネットワークに接続される。図６において、基地局間インターフェイスがＸｎインターフェイスである一例を示しているが、基地局間インターフェイスがＸ２インターフェイスであってもよい。ＭＮ及びＳＮは、基地局間インターフェイスを介して、後述する各種のメッセージを送受信する。
【００４１】
ＭＮのセルであって、ＵＥ１００に設定されるサービングセルのグループは、マスタセルグループ（ＭＣＧ）と呼ばれる。一方、ＳＮのセルであって、ＵＥ１００に設定されるサービングセルのグループは、セカンダリセルグループ（ＳＣＧ）と呼ばれる。
【００４２】
ＤＣによれば、ＭＮ（ＭＣＧ）及びＳＮ（ＳＣＧ）の両方からＵＥ１００に無線リソースが割り当てられ、ＵＥ１００がＭＮ及びＳＮと同時に通信することにより、高速且つ高信頼性の通信をＵＥ１００が利用可能になる。
【００４３】
ＵＥ１００は、ＭＮのＲＲＣ及びコアネットワークへの単一の制御プレーン接続に基づいて単一のＲＲＣ状態を有してもよい。ＭＮ及びＳＮのそれぞれは、ＵＥ１００に送信されるべきＲＲＣ  ＰＤＵ（Ｐｒｏｔｏｃｏｌ  Ｄａｔａ  Ｕｎｉｔ）を生成可能なＲＲＣエンティティを有する。
【００４４】
（第１実施形態）
次に、上述したような移動通信システムの構成を前提として、第１実施形態に係る移動通信システムの動作について説明する。
【００４５】
第１実施形態において、ＤＣ通信の開始後、基地局２００ＡとＵＥ１００との間の無線リンク（以下、「ＭＣＧリンク」と呼ぶ）の劣化が検知された場合、ＭＮとして機能する基地局２００Ａが、ＳＮとして機能する基地局２００Ｂ経由でＵＥ１００を制御する。これにより、ＤＣ通信を速やかに復旧可能とする一例について説明する。
【００４６】
図７は、第１実施形態に係る移動通信システムの動作を示す図である。
【００４７】
図７に示すように、ステップＳ１００において、ＵＥ１００は、基地局２００ＡとのＲＲＣ接続を確立しており、ＲＲＣコネクティッドモードにある。
【００４８】
ステップＳ１０１において、ＵＥ１００は、ＤＣ通信を基地局２００Ａ及び基地局２００Ｂと開始する。
【００４９】
ここで、基地局２００Ａは、ＤＣのために基地局２００Ｂの追加を要求する追加要求（Ａｄｄｉｔｉｏｎ  Ｒｅｑｕｅｓｔ）を基地局２００Ｂに送信してもよい。基地局２００Ｂは、追加要求（Ａｄｄｉｔｉｏｎ  Ｒｅｑｕｅｓｔ）の受信に応じて、追加要求（Ａｄｄｉｔｉｏｎ  Ｒｅｑｕｅｓｔ）への肯定応答（Ａｄｄｉｔｉｏｎ  Ｒｅｑｕｅｓｔ  Ａｃｋ）を基地局２００Ａに送信してもよい。基地局２００Ａは、肯定応答（Ａｄｄｉｔｉｏｎ  Ｒｅｑｕｅｓｔ  Ａｃｋ）の受信に応じて、ＤＣの設定情報を含むＲＲＣメッセージ（例えば、ＲＲＣ  Ｒｅｃｏｎｆｉｇｕｒａｔｉｏｎメッセージ）をＵＥ１００に送信してもよい。
【００５０】
基地局２００Ａは、ＤＣ設定の一部として、第１実施形態に係る動作を行う機能（ＳＣＧ経由のＭＣＧ維持機能）を有するＵＥ１００に対してこの動作の設定を行ってもよい。
【００５１】
基地局２００Ａは、ＵＥ１００に対して、ＭＣＧリンクの劣化を検知するための閾値を設定してもよい。閾値は、測定報告のトリガ条件を定めるための閾値とは異なるものであってもよい。閾値は、無線状態に関する閾値であって、ＲＬＦの兆候を検知するためのものであってもよい。例えば、基地局２００Ａは、ＵＥ１００に対して、ＲＬＣ再送がＭ回に達したらＲＬＦを検知するという前提下において、閾値としてＮ回（Ｍ＞Ｎ）を設定する。これにより、ＵＥ１００は、ＭＣＧとのＲＬＦ発生前に、ＲＬＦの可能性を早期に検知できる。
【００５２】
その結果、基地局２００ＡはＭＮとして機能し、基地局２００ＢはＳＮとして機能する。また、基地局２００Ａの少なくとも１つのセルがＭＣＧとしてＵＥ１００に設定され、基地局２００Ｂの少なくとも１つのセルがＳＣＧとしてＵＥ１００に設定される。
【００５３】
ステップＳ１０２において、ＵＥ１００は、ＭＣＧリンクの劣化を検知する。無線リンクとは、レイヤ２以下の無線接続をいう。
【００５４】
ＭＣＧリンクの劣化とは、ＲＬＦ又はその兆候が発生したことをいう。例えば、ＵＥ１００は、物理レイヤにおいて無線問題（例えば、同期外れ）が発生してから一定時間内に復旧しない場合、又はランダムアクセスプロシージャの障害、ＲＬＣレイヤの障害が発生した場合、ＲＬＦを検知する。
【００５５】
ＲＬＦの兆候とは、ＲＬＦの検知閾値が満たされないものの、ＲＬＦの検知閾値未満の障害が発生したことをいう。例えば、ＭＣＧリンクにおいて同期外れが一定時間内に所定回数発生したこと、又はランダムアクセスプロシージャにおいてランダムアクセスプリアンブルを所定回数だけ再送したことがＲＬＦの兆候に相当する。これらの所定回数は、基地局２００Ａから閾値として設定されてもよい。
【００５６】
なお、基地局２００ＡとＵＥ１００との間のＲＬＦ又はその兆候が発生した場合、ＵＥ１００はＲＬＦ又はその兆候を検知できるものの、基地局２００ＡはＲＬＦ又はその兆候を検知できないと考えられる。
【００５７】
ステップＳ１０３において、ＵＥ１００は、ＭＣＧリンクの劣化に基づく第１メッセージを、ＳＮとして機能する基地局２００Ｂに送信する。具体的には、ＵＥ１００は、ＭＮとして機能する基地局２００ＡとのＲＬＦ又はその兆候を検知すると、ＳＮとして機能する基地局２００Ｂ（ＳＣＧ）を優先して再選択する。そして、ＵＥ１００は、基地局２００Ｂ（ＳＣＧ）に対して、ＲＲＣ接続の再確立を要求するＲＲＣ  Ｒｅ−ｅｓｔａｂｌｉｓｈｍｅｎｔ  Ｒｅｑｕｅｓｔメッセージ（第１メッセージ）を送信する。或いは、第１メッセージは、ＲＲＣ接続の復旧を要求するＲＲＣ  Ｒｅｓｕｍｅ  Ｒｅｑｕｅｓｔメッセージであってもよい。或いは、第１メッセージは、ＭＣＧリンクの接続状況を示すメッセージであってもよいし、測定報告メッセージであってもよい。第１メッセージは、後述する第２実施形態に係る第１メッセージと同じであってもよい。ＵＥ１００は、第１メッセージに、第１実施形態に係る動作を行う機能（ＳＣＧ経由のＭＣＧ維持機能）を有する旨もしくは当該動作を希望する旨を含めてよい。
【００５８】
第１メッセージがＭＣＧリンクの接続状況を示すメッセージである場合、ＲＬＦの兆候を検知したＵＥ１００は、第１メッセージを基地局２００Ｂに送信するだけではなく、第１メッセージを基地局２００Ａに送信してもよい。
【００５９】
第１メッセージがＲＲＣ  Ｒｅ−ｅｓｔａｂｌｉｓｈｍｅｎｔ  Ｒｅｑｕｅｓｔメッセージ又はＲＲＣ  Ｒｅｓｕｍｅ  Ｒｅｑｕｅｓｔメッセージである場合、第１メッセージに基づいてＵＥ１００と基地局２００Ｂとの間にＲＲＣ接続が確立されてもよい。
【００６０】
ここで、ＵＥ１００は、ＲＲＣ  Ｒｅ−ｅｓｔａｂｌｉｓｈｍｅｎｔ  Ｒｅｑｕｅｓｔメッセージの送信時において、基地局２００Ｂへのランダムアクセスプリアンブル（Ｍｓｇ１）の送信、及び基地局２００Ｂからのランダムアクセス応答（Ｍｓｇ２）の受信を省略してもよい。ＵＥ１００は、ＲＲＣ  Ｒｅ−ｅｓｔａｂｌｉｓｈｍｅｎｔ  Ｒｅｑｕｅｓｔメッセージに、ＤＣ中にＳＣＧで使っていたＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を含めてもよい。具体的には、基地局２００Ａ及び基地局２００ＢのそれぞれからＵＥ１００にＣ−ＲＮＴＩが割り当てられており、ＵＥ１００は、基地局２００Ｂから割り当てられたＣ−ＲＮＴＩをＲＲＣ  Ｒｅ−ｅｓｔａｂｌｉｓｈｍｅｎｔ  Ｒｅｑｕｅｓｔメッセージを含める。基地局２００Ｂは、ＵＥ１００から受信したＲＲＣ  Ｒｅ−ｅｓｔａｂｌｉｓｈｍｅｎｔ  Ｒｅｑｕｅｓｔメッセージに含まれるＣ−ＲＮＴＩに基づいて、ＲＲＣ  Ｒｅ−ｅｓｔａｂｌｉｓｈｍｅｎｔ  Ｒｅｑｕｅｓｔメッセージの送信元ＵＥが、基地局２００Ｂ（ＳＮ）がＳＣＧを提供していたＵＥ１００であることを特定する。ＵＥ１００は、基地局２００Ｂから割り当てられたＣ−ＲＮＴＩに代えて又は加えて、基地局２００Ｂ（ＳＮ）が提供していたＳＣＧに含まれるプライマリ・セカンダリセル（ＰＳＣｅｌｌ）のセル識別子をＲＲＣ  Ｒｅ−ｅｓｔａｂｌｉｓｈｍｅｎｔ  Ｒｅｑｕｅｓｔメッセージに含めてもよい。基地局２００Ｂは、基地局２００Ｂから割り当てられたＣ−ＲＮＴＩ及び／又はＰＳＣｅｌｌのセル識別子を含むＲＲＣ  Ｒｅ−ｅｓｔａｂｌｉｓｈｍｅｎｔ  Ｒｅｑｕｅｓｔメッセージを送信したＵＥ１００が、ＳＣＧ経由のＭＣＧリンク保持機能の能力を有していると判断してもよい。
【００６１】
ステップＳ１０４において、第１メッセージを受信した基地局２００Ｂは、ＤＣ通信を復旧するために用いる第２メッセージを基地局２００Ａに送信する。
【００６２】
第２メッセージは、基地局２００ＡとＵＥ１００との間のＲＲＣ接続を維持すること又はＤＣ状態を維持することを基地局２００Ａに要求する要求メッセージであってもよい。第２メッセージは、基地局２００ＢがＵＥ１００からＲＲＣ  Ｒｅ−ｅｓｔａｂｌｉｓｈｍｅｎｔ  ＲｅｑｕｅｓｔメッセージをＵＥ１００から受信したことを基地局２００Ａに通知する通知メッセージであってもよい。第２メッセージは、基地局２００ＢがＵＥ１００から受信したＲＲＣ  Ｒｅ−ｅｓｔａｂｌｉｓｈｍｅｎｔ  Ｒｅｑｕｅｓｔメッセージをコンテナとして含む転送メッセージであってもよい。第２メッセージは、後述する第２実施形態に係る第２メッセージと同じであってもよい。
【００６３】
第２メッセージは、基地局間インターフェイス上でのＭＮ（基地局２００Ａ）及びＳＮ（基地局２００Ｂ）のそれぞれの識別子と、基地局間インターフェイス上でのＵＥ識別子とを情報要素として含む。以下の第１実施形態及び第２実施形態において、基地局２００Ａと基地局２００Ｂとの間で送受信されるメッセージには、これらの情報要素が含まれるものとする。
【００６４】
第２メッセージは、スプリットＳＲＢ（Ｓｉｇｎａｌｌｉｎｇ  Ｒａｄｉｏ  Ｂｅａｒｅｒ）を要求もしくは提案するメッセージであってもよいし、スプリットＳＲＢを要求もしくは提案する情報要素を含むメッセージであってもよい。スプリットＳＲＢとは、ＳＲＢをＭＣＧだけでなくＳＣＧでも送信するためにＭＮにおいて分岐されるものである。第２メッセージは、スプリットＳＲＢとして受け入れ可能なＳＲＢの種別（ＳＲＢ１、ＳＲＢ２、又はそれらの両方）を通知してもよい。
【００６５】
ステップＳ１０５において、第２メッセージを受信した基地局２００Ａは、第２メッセージに対する応答メッセージを基地局２００Ｂに送信する。
【００６６】
応答メッセージは、基地局２００ＡとＵＥ１００との間のＲＲＣ接続を維持すること又はＤＣ状態を維持することを承諾する肯定応答（Ａｃｋ）であってもよい。
【００６７】
応答メッセージは、基地局２００ＡとＵＥ１００との間のＲＲＣ接続を維持すること又はＤＣ状態を維持することを拒否する否定応答（Ｎａｃｋ）であってもよい。この場合、基地局２００Ａは、ＵＥ１００を基地局２００ＢにハンドオーバするためのＨａｎｄｏｖｅｒ  Ｒｅｑｕｅｓｔメッセージを基地局２００Ｂに送信してもよい。
【００６８】
応答メッセージは、どのＳＲＢをスプリットＳＲＢにするかを示す情報（Ｒｅｑｕｅｓｔｅｄ  Ｓｐｌｉｔ  ＳＲＢｓ）を含んでもよい。
【００６９】
基地局２００Ａから否定応答（Ｎａｃｋ）を受信した基地局２００Ｂは、ＵＥ１００から受信したＲＲＣ  Ｒｅ−ｅｓｔａｂｌｉｓｈｍｅｎｔ  Ｒｅｑｕｅｓｔメッセージに対してＲＲＣ  Ｒｅ−ｅｓｔａｂｌｉｓｈｍｅｎｔメッセージをＵＥ１００に送信してもよい。或いは、ＵＥ１００が基地局２００ＡとのＲＬＦを検知していない場合、基地局２００Ａから否定応答（Ｎａｃｋ）を受信した基地局２００Ｂは、ＵＥ１００にＲＬＦを検知するように促すメッセージ又は情報要素をＵＥ１００に送信し、ＵＥ１００にＲｅ−ｅｓｔａｂｌｉｓｈｍｅｎｔを行わせてもよい。ＵＥ１００にＲＬＦを検知するように促すメッセージは、ＲＲＣ  Ｒｅ−ｅｓｔａｂｌｉｓｈｍｅｎｔ  Ｒｅｊｅｃｔメッセージであってもよい。ＵＥ１００は、ＲＬＦを検知するように促すメッセージを受信した場合、基地局２００Ａ（ＭＣＧ）との通信を継続し、ＲＬＦのモニタを実施する。
【００７０】
以下において、基地局２００Ｂが受信した応答メッセージが肯定応答（Ａｃｋ）であると仮定して説明を進める。
【００７１】
ステップＳ１０６において、肯定応答（Ａｃｋ）を受信した基地局２００Ｂは、基地局２００Ｂ（ＳＣＧリンク）経由で基地局２００ＡとのＲＲＣ接続が維持される旨を通知するメッセージをＵＥ１００に送信する。この状態において、ＵＥ１００と基地局２００Ａとの間のＲＲＣ接続は物理的には基地局２００Ａが管理するＭＣＧを介していない。そのため、ＵＥ１００は、基地局２００Ａ（ＭＣＧ）に対するＲＬＦのモニタリング及びその他のプロシージャ（例えば、ＰＵＣＣＨの送信、ＤＲＸ動作など）は停止してもよい。但し、ＵＥ１００は、基地局２００Ａに対する無線状態の測定は実施する。
【００７２】
ステップＳ１０７において、ＵＥ１００と基地局２００Ａとの間のＲＲＣ接続を維持しつつ、基地局２００Ｂを介してＵＥ１００と基地局２００Ａとの間でＲＲＣメッセージを送受信する。ＲＲＣメッセージとは、ＲＲＣレイヤにおいて送受信されるメッセージをいう。
【００７３】
ここで、基地局２００ＡからＵＥ１００へのＲＲＣメッセージは、基地局間インターフェイス経由で基地局２００Ｂに転送された後、基地局２００ＢからＵＥ１００に対して、シグナリング無線ベアラ（ＳＲＢ）３上で伝送されるＲＲＣコンテナによって送信される。ＳＲＢ３とは、ＵＥ１００とＳＮとの間で確立される制御用の無線ベアラをいう。
【００７４】
ＵＥ１００から基地局２００ＡへのＲＲＣメッセージは、ＳＲＢ３上で伝送されるＲＲＣコンテナによって基地局２００Ｂに送信された後、基地局間インターフェイス経由で基地局２００Ｂから基地局２００Ａに転送される。
【００７５】
このようなＳＲＢ３上で伝送されるＲＲＣコンテナは、第１実施形態に係る動作（すなわち、ＳＣＧリンク経由のＭＣＧ接続）がアクティブな場合のみ使用可能な専用のＲＲＣコンテナであってもよい。
【００７６】
ステップＳ１０７の状態は、ＵＥ１００が基地局２００Ａ及び基地局２００ＢのそれぞれとＲＲＣ接続を有する状態であると考えてもよい。この場合、ＵＥ１００と基地局２００Ａとの間で確立されているＲＲＣ接続が中断（サスペンド）又は非アクティブ化されていてもよい。ＵＥ１００は、ＲＲＣインアクティブモードであってもよい。ＭＣＧとのリンク状態が悪い状態であるため、ＵＥ１００がＲＲＣコネクティッドモードを維持すると、ＵＥ１００がＲＬＦを検知しうる。そのため、ＵＥ１００と基地局２００Ａとの間のＲＲＣ接続が中断されていてもよい。
【００７７】
なお、ＭＣＧと接続しているＵＥ１００のＲＲＣをマスタＲＲＣ（Ｍ−ＲＲＣ）、ＳＣＧと接続しているＵＥ１００のＲＲＣをセカンダリＲＲＣ（Ｓ−ＲＲＣ）としてもよい。ＵＥ１００のＭ−ＲＲＣは、ＵＥ１００のＳ−ＲＲＣの接続先とするセルを選択させる指示を行ってもよい。ここで、ＵＥ１００のＭ−ＲＲＣは、Ｓ−ＲＲＣの接続先とするセルの候補セルのリストをＳ−ＲＲＣに設定してもよい。Ｓ−ＲＲＣがどのセルと接続してもよいとすると制御しにくいため、ＵＥ１００のＭ−ＲＲＣは、ＵＥ１００のＳ−ＲＲＣの接続先とするセルを指定する。例えば、ダイバーシティゲインを得るために、Ｍ−ＲＲＣとＳ−ＲＲＣとで接続先セルの周波数を別にしたり、Ｍ−ＲＲＣが接続しているセルとは別のセルをＳ−ＲＲＣに選択させたりする制御が可能になる。
【００７８】
ＵＥ１００は、基地局２００Ｂを介して、基地局２００Ａに対してＲＲＣコンテナにより測定報告を送信してもよい。測定報告は、ＵＥ１００がセルごとに無線状態を測定して得た測定結果を含む。基地局２００Ａは、ＵＥ１００からの測定報告に基づいて、例えばＵＥ１００と基地局２００Ａとの間の無線状態が改善したと判定した場合（ステップＳ１０８）が想定される。この場合、基地局２００Ａは、基地局２００Ｂを介して、ＲＲＣコンテナにより、ＤＣ接続（ＵＥ１００と基地局２００との間のＲＲＣ接続）を復旧させるための制御情報をＵＥ１００に送信してもよい。この制御情報は、基地局２００Ａへのランダムアクセスプロシージャに用いる非競合（Ｃｏｎｔｅｎｔｉｏｎ−ｆｒｅｅ）ランダムアクセスプリアンブルや、基地局２００Ａとの無線通信に用いる無線設定などを含む。
【００７９】
ＵＥ１００は、例えばＵＥ１００と基地局２００Ａとの間の無線状態が改善したと判定した場合（ステップＳ１０８）、基地局２００Ｂを介して、ＲＲＣ接続を再要求するためのメッセージ（例えばＲＲＣ  Ｒｅ−Ｒｅｑｕｅｓｔメッセージ）を基地局２００Ａに送信してもよい。基地局２００Ａは、基地局２００Ｂを介して、このメッセージに対する応答メッセージをＵＥ１００に送信してもよい。応答メッセージには、前回のＤＣの設定情報を基にＤＣを復旧することを示す情報を含めてもよい。
【００８０】
ステップＳ１０８において、ＵＥ１００及び基地局Ａは、ＭＣＧリンクを復旧させる。ここで、ＵＥ１００は、ＭＣＧリンクが改善した旨の通知を、基地局２００Ｂを介して、ＲＲＣコンテナにより基地局２００Ａに送信してもよい。基地局２００Ａは、ＵＥ１００からの通知に対する応答を、ＭＣＧリンク経由で例えばＲＲＣ  ＲｅｃｏｎｆｉｇｕｒａｔｉｏｎメッセージによりＵＥ１００に直接的に送信してもよい。或いは、基地局２００Ａは、ＵＥ１００からの通知に対する応答を、基地局２００Ｂを介してＲＲＣコンテナによりＵＥ１００に送信してもよい。
【００８１】
一方、一定期間が経過してもＭＣＧリンクの無線状態が改善しない場合（つまり、ＭＣＧリンクを再確立できない場合）、基地局２００Ａは、基地局２００Ｂに対してＵＥ１００をハンドオーバし、基地局２００ＢにＲＲＣ接続を引き継いでもよい。この場合、ＤＣが終了し、ＵＥ１００は基地局２００Ｂとのみ通信を行う。
【００８２】
上記の一定期間は、タイマによって設定されてもよい。基地局２００Ａが基地局２００Ｂにタイマを設定してもよい。基地局２００Ｂは、ＵＥ１００から第１メッセージを受信した際（ステップＳ１０３）にタイマを開始させてもよい。基地局２００Ｂが基地局２００Ａにタイマを設定（通知）してもよい。基地局２００Ａは、基地局２００Ｂから第２メッセージを受信した際（ステップＳ１０４）又は肯定応答（Ａｃｋ）を送信する際（ステップＳ１０５）に、タイマを開始させてもよい。基地局２００ＡがＵＥ１００にタイマを設定してもよい。ＵＥ１００は、ＭＣＧリンクの劣化を検知した際に、タイマを開始させてもよい。ＵＥ１００は、ＭＣＧリンクが復旧することなくタイマが満了した場合、基地局２００Ａからのハンドオーバ指示を受信しなくても、自動的に基地局２００Ｂにハンドオーバを行ってもよい。
【００８３】
第１実施形態によれば、ＤＣ通信の開始後、ＭＣＧリンクの劣化が検知された際に、ＵＥ１００と基地局２００Ａとの間のＲＲＣ接続を維持しつつ、基地局２００Ｂを介してＵＥ１００と基地局２００Ａとの間でＲＲＣメッセージを送受信する。これにより、ＭＣＧリンクのＲＬＦが発生した場合であっても、基地局２００ＡがＳＣＧ経由でＵＥ１００に対して各種の制御を実施可能である。そのため、ＭＣＧの無線状態が改善した場合にＤＣ通信を速やかに復旧できる。
【００８４】
（第２実施形態）
次に、第２実施形態に係る移動通信システムの動作について、第１実施形態との相違点を主として説明する。
【００８５】
第２実施形態において、ＤＣ通信の開始後、ＭＣＧリンクの劣化が検知された場合、基地局２００Ａと基地局２００Ｂとの間でＭＮ及びＳＮの役割を入れ替えること（以下、適宜「Ｒｏｌｅ  Ｃｈａｎｇｅ」と呼ぶ）により、ＤＣ通信を速やかに復旧可能とする一例について説明する。
【００８６】
図８は、第２実施形態に係る移動通信システムの動作を示す図である。
【００８７】
図８に示すように、ステップＳ２００において、ＵＥ１００は、基地局２００ＡとのＲＲＣ接続を確立しており、ＲＲＣコネクティッドモードにある。
【００８８】
ステップＳ２０１において、ＵＥ１００は、ＤＣ通信を基地局２００Ａ及び基地局２００Ｂと開始する。
【００８９】
ここで、基地局２００Ａは、ＤＣのために基地局２００Ｂの追加を要求する追加要求（Ａｄｄｉｔｉｏｎ  Ｒｅｑｕｅｓｔ）を基地局２００Ｂに送信してもよい。基地局２００Ｂは、追加要求（Ａｄｄｉｔｉｏｎ  Ｒｅｑｕｅｓｔ）の受信に応じて、追加要求（Ａｄｄｉｔｉｏｎ  Ｒｅｑｕｅｓｔ）への肯定応答（Ａｄｄｉｔｉｏｎ  Ｒｅｑｕｅｓｔ  Ａｃｋ）を基地局２００Ａに送信してもよい。
【００９０】
基地局２００Ａは、肯定応答（Ａｄｄｉｔｉｏｎ  Ｒｅｑｕｅｓｔ  Ａｃｋ）の受信に応じて、ＤＣの設定情報を含むＲＲＣメッセージをＵＥ１００に送信してもよい（ステップＳ２０２）。
【００９１】
その結果、基地局２００ＡはＭＮとして機能し、基地局２００ＢはＳＮとして機能する。また、基地局２００Ａの少なくとも１つのセルがＭＣＧとしてＵＥ１００に設定され、基地局２００Ｂの少なくとも１つのセルがＳＣＧとしてＵＥ１００に設定される。
【００９２】
ステップＳ２０２において、基地局２００Ａは、ＵＥ１００に対して、ＭＣＧリンクの劣化を検知するための閾値を設定してもよい。閾値は、測定報告のトリガ条件を定めるための閾値とは異なるものであってもよい。閾値は、無線状態に関する閾値であって、ＲＬＦの兆候を検知するためのものであってもよい。例えば、基地局２００Ａは、ＵＥ１００に対して、ＲＬＣ再送がＭ回に達したらＲＬＦを検知するという前提下において、閾値としてＮ回（Ｍ＞Ｎ）を設定する。これにより、ＵＥ１００は、ＭＣＧとのＲＬＦ発生前に、ＲＬＦの可能性を早期に検知できる。
【００９３】
ステップＳ２０２において、基地局２００Ａは、Ｒｏｌｅ  Ｃｈａｎｇｅ後に用いるべき設定情報を予めＵＥ１００に送信してもよい。具体的には、基地局２００Ａは、ＵＥ１００に対して複数のＲＲＣ設定を送信する。これらのＲＲＣ設定のうち第１のＲＲＣ設定は、ＭＣＧリンク用に即座に使うための設定情報であって、ＵＥ１００に設定された時点でアクティブになる。これらのＲＲＣ設定のうち、少なくとも１つの第２のＲＲＣ設定は、Ｒｏｌｅ  Ｃｈａｎｇｅ後に用いるべき設定情報であって、ＵＥ１００に設定された時点ではスタンバイ状態（非アクティブ）にある。
【００９４】
基地局２００Ａは、複数のＲＲＣ設定を１つのＲＲＣ  Ｒｅｃｏｎｆｉｇｕｒａｔｉｏｎメッセージに含めて、複数のＲＲＣ設定をまとめてＵＥ１００に送信してもよい。或いは、基地局２００Ａは、第１のＲＲＣ設定を先にＵＥ１００に送信し、その後、第２のＲＲＣ設定を追加的にＵＥ１００に送信してもよい。基地局２００Ａは、複数のＲＲＣ設定のうちいずれかをＵＥ１００に指定して削除してもよい。複数のＲＲＣ設定のそれぞれは、セル識別子と紐づいていてもよい。基地局２００Ａは、ＲＲＣ設定とセル識別子との複数のセットをＵＥ１００に送信してもよい。例えば、ＵＥ１００は、ＭＣＧになるセルごとに、対応するＲＲＣ設定をアクティブにすることでＲＲＣ設定を使い分ける。
【００９５】
ステップＳ２０３において、ＵＥ１００は、ＭＣＧリンクの劣化を検知する。
【００９６】
上述したように、ＭＣＧリンクの劣化とは、ＲＬＦ又はその兆候が発生したことをいう。例えば、ＵＥ１００は、物理レイヤにおいて無線問題（例えば、同期外れ）が発生してから一定時間内に復旧しない場合、又はランダムアクセスプロシージャの障害、ＲＬＣレイヤの障害が発生した場合、ＲＬＦを検知する。
【００９７】
ＲＬＦの兆候とは、ＲＬＦの検知閾値が満たされないものの、ＲＬＦの検知閾値未満の障害が発生したことをいう。例えば、ＭＣＧリンクにおいて同期外れが一定時間内に所定回数発生したこと、又はランダムアクセスプロシージャにおいてランダムアクセスプリアンブルを所定回数だけ再送したことがＲＬＦの兆候に相当する。これらの所定回数は、基地局２００Ａから閾値として設定されてもよい。
【００９８】
なお、基地局２００ＡとＵＥ１００との間のＲＬＦ又はその兆候が発生した場合、ＵＥ１００はＲＬＦ又はその兆候を検知できるものの、基地局２００ＡはＲＬＦ又はその兆候を検知できないと考えられる。
【００９９】
ステップＳ２０４において、ＲＬＦの兆候を検知したＵＥ１００は、ＲＬＦの可能性を通知するメッセージを基地局２００Ａに送信してもよい。このメッセージは、測定報告とは異なるメッセージであってもよいし、Ｒｏｌｅ  Ｃｈａｎｇｅを要求する要求メッセージであってもよい。ＵＥ１００は、ＭＣＧ用のＭＡＣエンティティに紐づいたＳＲＢ（ＳＲＢ１）を用いて、メッセージを基地局２００Ａに送信してもよい。基地局２００Ａは、ＲＬＦの可能性を通知するメッセージの受信に基づいて、Ｒｏｌｅ  Ｃｈａｎｇｅ（ステップＳ２０７）を行ってもよい。
【０１００】
ステップＳ２０５において、ＵＥ１００は、ＭＣＧリンクの劣化に基づく第１メッセージを、ＳＮとして機能する基地局２００Ｂに送信する。ＲＬＦの兆候を検知したＵＥ１００は、ステップＳ２０４でメッセージを基地局２００Ａに送信するとともに、ステップＳ２０５で第１メッセージを基地局２００Ｂに送信してもよい。
【０１０１】
第１メッセージは、ＵＥ１００が基地局２００Ａ（ＭＣＧリンク）とのＲＬＦ又はその兆候を検知したことを示すメッセージであってもよい。このようなメッセージは、Ｍ−ＲＬＦ  ｉｎｆｏｒｍａｔｉｏｎメッセージと呼ばれてもよい。第１メッセージは、測定報告メッセージであってもよい。ＵＥ１００は、基地局２００Ｂに対して、ＳＣＧ用のＭＡＣエンティティに紐づいたＳＲＢ（ＳＲＢ３）を用いて、Ｍ−ＲＬＦ  ｉｎｆｏｒｍａｔｉｏｎメッセージ又は測定報告メッセージを送信する。
【０１０２】
第１メッセージは、障害の種別（Ｔ３１０満了、ランダムアクセス失敗、ＲＬＣ再送上限到達のいずれか）を示す情報要素と、無線状態の測定結果を示す情報要素とのうち少なくとも１つを含んでもよい。
【０１０３】
ステップＳ２０６において、基地局２００Ｂは、ＵＥ１００から受信した第１メッセージに基づいて、第２メッセージを基地局２００Ａに送信する。
【０１０４】
第２メッセージは、ＭＣＧリンクのＲＬＦ又はその兆候を検知したことを示す通知メッセージであってもよいし、基地局２００ＢがＭＮになるための要求メッセージであってもよい。
【０１０５】
第２メッセージは、ＰＤＣＰデータリカバリが必要か否かを示す情報要素であるＰＤＣＰ  Ｃｈａｎｇｅ  Ｉｎｄｉｃａｔｉｏｎと、ＲＲＣの情報要素を運ぶためのコンテナとのうち少なくとも１つを含んでもよい。
【０１０６】
ステップＳ２０７において、基地局２００Ａ及び基地局２００Ｂは、Ｒｏｌｅ  Ｃｈａｎｇｅを行う。
【０１０７】
第２メッセージが、基地局２００ＢがＭＮになるための要求メッセージ（Ｒｏｌｅ  Ｃｈａｎｇｅ要求メッセージ）である場合、ステップＳ２０７において、基地局２００Ａは、このＲｏｌｅ  Ｃｈａｎｇｅ要求メッセージに対する応答メッセージ（Ａｃｋ又はＮａｃｋ）を基地局２００Ｂに送信してもよい。
【０１０８】
或いは、ステップＳ２０７において、基地局２００Ａは、ステップＳ２０４でＵＥ１００から受信したメッセージ又はステップＳ２０６で基地局２００Ｂから受信した第２メッセージに基づいて、Ｒｏｌｅ  Ｃｈａｎｇｅ要求メッセージを基地局２００Ｂに送信してもよい。Ｒｏｌｅ  Ｃｈａｎｇｅ要求メッセージは、基地局２００ＢがＭＮになるために必要な各種の設定情報を含んでもよい。Ｒｏｌｅ  Ｃｈａｎｇｅ要求メッセージを受信した基地局２００Ｂは、Ｒｏｌｅ  Ｃｈａｎｇｅ要求メッセージに対する応答メッセージ（Ａｃｋ又はＮａｃｋ）を基地局２００Ａに送信してもよい。
【０１０９】
その結果、基地局２００ＡがＳＮに変更（ステップＳ２０８）されるとともに、基地局２００ＢがＭＮに変更（ステップＳ２０９）される。
【０１１０】
基地局２００Ａ及び基地局２００Ｂの少なくとも一方は、Ｒｏｌｅ  Ｃｈａｎｇｅが行われたことを示すメッセージをＵＥ１００に送信してもよい（ステップＳ２１０、ステップＳ２１１）。Ｒｏｌｅ  Ｃｈａｎｇｅが行われたことを示すメッセージは、新たなＭＣＧに含まれる各セルのセル識別子及びＳＣＧに含まれる各セルのセル識別子のうち少なくとも一方を含んでもよい。
【０１１１】
ＵＥ１００は、ステップＳ２１０及び／又はステップＳ２１１で受信したメッセージに基づいて、Ｒｏｌｅ  Ｃｈａｎｇｅが行われたことを確認する。
【０１１２】
Ｒｏｌｅ  Ｃｈａｎｇｅが行われたことを確認したＵＥ１００は、ステップＳ２０２で基地局２００Ａから複数のＲＲＣ設定（第１のＲＲＣ設定及び第２のＲＲＣ設定）を受信していた場合が想定される。この場合、スタンバイしていた第２のＲＲＣ設定をアクティブ化し、第２のＲＲＣ設定の適用を開始する。また、第２のＲＲＣ設定が複数存在し、各第２のＲＲＣ設定がセル識別子と紐付けられている場合がある。この場合、ＵＥ１００は、複数の第２のＲＲＣ設定のうち、新たにＭＣＧになったセルのセル識別子と紐付けられた第２のＲＲＣ設定をアクティブ化し、その他の第２のＲＲＣ設定を破棄するか又はスタンバイ状態のまま保持してもよい。ＵＥ１００が、当該その他の第２のＲＲＣ設定を破棄するか又は保持するかは、基地局２００Ａからの設定（ステップＳ２０２）により定められてもよい。
【０１１３】
なお、ＵＥ１００は、ステップＳ２１０及び／又はステップＳ２１１でメッセージを受信したこととは異なる条件をトリガとして、スタンバイしていた第２のＲＲＣ設定をアクティブ化してもよい。例えば、ＵＥ１００は、ステップＳ２０４のメッセージを送信したこと又はステップＳ２０５のメッセージを送信したことをトリガとして、スタンバイしていた第２のＲＲＣ設定をアクティブ化してもよい。
【０１１４】
ＳＮとして機能する基地局２００Ａの無線状態の状態が改善した場合（ステップＳ２１２）、ＵＥ１００は、基地局２００Ａとデータを送受信可能になる。一方、一定期間が経過しても基地局２００Ａの無線状態が改善しない場合、ＭＮとして機能する基地局２００Ｂは、基地局２００Ａに対して解放メッセージを送信する。これにより、ＭＮとして機能する基地局２００Ｂは、ＳＮとして機能する基地局２００Ａを解放してもよい。この場合、ＤＣが終了し、ＵＥ１００は基地局２００Ｂとのみ通信を行う。この一定期間の設定方法については、第１実施形態と同様である。
【０１１５】
第２実施形態によれば、ＤＣ通信の開始後、基地局２００Ａのリンクの劣化が検知された場合、基地局２００Ａと基地局２００Ｂとの間でＭＮ及びＳＮの役割を入れ替える。これにより、基地局２００ＡをＳＮとして維持しつつ、新たにＭＮになった基地局２００ＢがＵＥ１００を制御可能である。このため、基地局２００Ａの無線状態が改善した場合にＤＣ通信を速やかに復旧できる。
【０１１６】
（その他の実施形態）
第１実施形態に係る動作の少なくとも一部と第２実施形態に係る動作の少なくとも一部とを組み合わせて実施してもよい。
【０１１７】
その他の実施形態として、第１実施形態に係る動作の少なくとも一部及び第２実施形態に係る動作の少なくとも一部を、キャリアアグリゲーション（ＣＡ）に応用してもよい。ＣＡに応用する場合、ＭＮ及びＭＣＧをプライマリセル（ＰＣｅｌｌ）と読み替え、且つＳＮ及びＳＣＧをセカンダリセル（ＳＣｅｌｌ）と読み替える。
【０１１８】
その他の実施形態として、ＵＥ１００が基地局及び他のＵＥとのＤＣ通信を行ってもよい。具体的には、ＵＥ１００は、基地局とのＵｕインターフェイスと他のＵＥとのＰＣ５インターフェイス（サイドリンク）とを介して基地局及び他のＵＥとの同時通信を行う。このような想定下において、上述したＭ−ＲＲＣを基地局（Ｕｕ）向けのＲＲＣとし、上述したＳ−ＲＲＣを他のＵＥ（ＰＣ５）向けのＲＲＣとしてもよい。
【０１１９】
ＵＥ１００又はｇＮＢ２００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２０】
また、ＵＥ１００又はｇＮＢ２００が行う各処理を実行する回路を集積化し、ＵＥ１００又はｇＮＢ２００の少なくとも一部を半導体集積回路（チップセット、ＳｏＣ）として構成してもよい。
【０１２１】
以上、図面を参照して一実施形態について詳しく説明したが、具体的な構成は上述のものに限られることはなく、要旨を逸脱しない範囲内において様々な設計変更等をすることが可能である。
【０１２２】
（付記）
序論
ＲＡＮプレナリは、マルチＲＡＴデュアルコネクティビティ及びキャリアアグリゲーションの拡張に関するワークアイテムを承認した。このワークアイテムの目的のひとつは、ＭＣＧリンクのメカニズムの速やかな復旧をサポートすることである。
【０１２３】
速やかな復旧：ＭＣＧリンクの速やかな復旧のサポート、例えば、ＳＣＧリンク及びスプリットＳＲＢを利用して、ＭＲ―ＤＣ(マルチＲＡＴデュアルコネクティビティ)で動作中のＭＣＧ障害時の復旧をサポートする。
【０１２４】
議論
この付記では、速やかなＭＣＧリンクの復旧の解決の方向性について議論されている。
【０１２５】
デュアルコネクティビティは２つのノード（例えば、ｅＮＢ又はｇＮＢ）からサービングされる無線リソースを利用する。セカンダリノードがＳＣＧリンクをＵＥに提供している間、マスタノードはＭＣＧリンクをＵＥ及びコアネットワークに提供する。例えば、サイトダイバーシティ及び周波数ダイバーシティからのゲインによって、マルチプルリンクつまりＭＣＧ及びＳＣＧは、ユーザスループットだけではなく、接続の安定性も改善されることが予想される。
【０１２６】
現在の仕様では、ＲＬＦはＭＣＧ及びＳＣＧに対して別々に宣言され、ＳＣＧ  ＲＬＦでＳＣＧの送信を一時中断している間、ＵＥは、ＭＣＧ  ＲＬＦでＲＲＣ再確立手順を開始する。言い換えると、既存のデュアルコネクティビティは、ＳＣＧ障害の場合は堅牢性に貢献するが、ＭＣＧ障害に対するゲインは無い。つまり、ＭＣＧリンクの安定性に関して、シングルコネクティビティとデュアルコネクティビティの間に違いは無い。デュアルコネクティビティにおいてＭＣＧリンクはマイクロセルであるため、常に安定していると想定され、ＳＣＧリンクはスモールセルリンクであるため不確実と想定される場合がある。しかしながら、実行において、このような想定は常に正しいとは限らない。例えば、ユーザが建物に入ると、屋内のスモールセルは屋外のマイクロセルよりも安定した接続を提供する。ＷＩＤは、「ＭＲ-ＤＣで動作中のＭＣＧ障害時の復旧にＳＣＧリンクとスプリットＳＲＢを利用することによる」速やかなＭＣＧ障害復旧の解決策を例示している。したがって、デュアルコネクティビティにおいてＳＣＧリソースを利用する方法は、ワークアイテムの目的の１つである。
【０１２７】
提案１：ＲＡＮ２は、ＳＣＧリンク又はスプリットＳＲＢの利用による、ＭＣＧ障害の速やかな復旧を導入すべきである。
【０１２８】
提案１に同意する場合、速やかな復旧のためＲＬＦに関する手順は拡張される候補になる。現在の仕様では、ＲＬＦが宣言された後、ＵＥは適したセルを選択し、ＲＲＣ再確立手順を開始する。それによって、モデリングがＬＴＥで示されているものと酷似している。図９は、ＬＴＥにおけるＲＬＦ周辺手順の例の図である。セルがＲＲＣ再確立要求を受信すると、ＵＥコンテキストを既に持っている又は取り戻しており、ＵＥがＲＲＣコネクティッドモードを保持する許可を承認する。ＳＣＧリンクの可能性を考慮すると、ＲＡＮ２は、これを利用して速やかなＭＣＧリンクの復旧をすべきである。
【０１２９】
提案２：ＲＡＮ２はＳＣＧリンクが良好である時、デュアルコネクティビティでのＭＣＧ  ＲＬＦに関する手順を拡張すべきである。
【０１３０】
提案２に同意する場合、下記のようないくつかの解決策が検討される。
【０１３１】
選択肢１：ＵＥベースの速やかな復旧（反応性の高い復旧）
【０１３２】
ＲＲＣの再確立手順の拡張が検討される。例えば、ＳＮは、無線リンク品質まだ良好であり、既にＵＥコンテキストを持っていると予想されるため、ＭＣＧ  ＲＬＦの場合、デュアルコネクティビティ中のＵＥは、ＲＲＣ再確立要求のセル再選択で現在のＳＣＧを優先する。ＲＲＣ再確立及びランダムアクセス手順に関わる遅延を最小限に抑え、一時的に最初のＭＣＧがＵＥを制御することを許可する。
【０１３３】
選択肢２：ＮＷベースの速やかな復旧（積極的な復旧）
【０１３４】
ＬＴＥ  ｆｅＭＯＢで議論されていたのと同様に、ＭＮ（マスタノード）とＳＮ(セカンダリノード)の役割変更の種類が考慮されるだろう。例えば、ＭＣＧリンクでＲＬＦが起こった場合、ＭＣＧの役割は現在のＳＣＧリンクと交換される。そのため、ＭＣＧ障害は前もって避けられることが期待され、ランダムアクセス手順に関連する遅延も避けられる可能性がある。ＳＲＢ３を介して、ＵＥはＳＮにＭＣＧ  ＲＬＦの可能性を通知され、ＳＮはＵＥを適切に制御してもよい。
【０１３５】
選択肢３：選択肢１及び選択肢２を混成した復旧
【０１３６】
積極的な復旧が失敗した後でも、反応性の高い復旧が運用されるため、たとえ選択肢１及び選択肢２が独立してサポートされたとしても、全体の堅牢性は向上する。
【０１３７】
選択肢１はシンプルな解決策である。選択肢２は選択１と比べるとわずかに複雑だが、選択肢２は、全てのサービスの中断時間を潜在的に排除できる。選択肢３は、選択肢１及び選択肢２が確定された後に、後段で議論される。
提案３：ＲＡＮ２は、ＭＣＧ  ＲＬＦの、ＵＥベースの反応性の高い復旧及び/又はＮＷベースの積極的な復旧のための選択肢を議論すべきである。
【０１３８】
本願は、米国仮出願第６２／８０４８３０号（２０１９年２月１３日出願）の優先権を主張し、その内容の全てが本願明細書に組み込まれている。
【図１】
2020166666.tif 000003
【図２】
2020166666.tif 000004
【図３】
2020166666.tif 000005
【図４】
2020166666.tif 000006
【図５】
2020166666.tif 000007
【図６】
2020166666.tif 000008
【図７】
2020166666.tif 000009
【図８】
2020166666.tif 000010
【図９】
2020166666.tif 000011
【手続補正書】
【提出日】令和3年8月10日(2021.8.10)
【手続補正１】
【補正対象書類名】明細書
【補正対象項目名】００６２
【補正方法】変更
【補正の内容】
【００６２】
第２メッセージは、基地局２００ＡとＵＥ１００との間のＲＲＣ接続を維持すること又はＤＣ状態を維持することを基地局２００Ａに要求する要求メッセージであってもよい。第２メッセージは、基地局２００ＢがＲＲＣ  Ｒｅ−ｅｓｔａｂｌｉｓｈｍｅｎｔ  ＲｅｑｕｅｓｔメッセージをＵＥ１００から受信したことを基地局２００Ａに通知する通知メッセージであってもよい。第２メッセージは、基地局２００ＢがＵＥ１００から受信したＲＲＣ  Ｒｅ−ｅｓｔａｂｌｉｓｈｍｅｎｔ  Ｒｅｑｕｅｓｔメッセージをコンテナとして含む転送メッセージであってもよい。第２メッセージは、後述する第２実施形態に係る第２メッセージと同じであってもよい。
【手続補正２】
【補正対象書類名】明細書
【補正対象項目名】００６４
【補正方法】変更
【補正の内容】
【００６４】
第２メッセージは、スプリットＳＲＢ（Ｓｉｇｎａｌｉｎｇ  Ｒａｄｉｏ  Ｂｅａｒｅｒ）を要求もしくは提案するメッセージであってもよいし、スプリットＳＲＢを要求もしくは提案する情報要素を含むメッセージであってもよい。スプリットＳＲＢとは、ＳＲＢをＭＣＧだけでなくＳＣＧでも送信するためにＭＮにおいて分岐されるものである。第２メッセージは、スプリットＳＲＢとして受け入れ可能なＳＲＢの種別（ＳＲＢ１、ＳＲＢ２、又はそれらの両方）を通知してもよい。
【手続補正３】
【補正対象書類名】明細書
【補正対象項目名】００７８
【補正方法】変更
【補正の内容】
【００７８】
ＵＥ１００は、基地局２００Ｂを介して、基地局２００Ａに対してＲＲＣコンテナにより測定報告を送信してもよい。測定報告は、ＵＥ１００がセルごとに無線状態を測定して得た測定結果を含む。基地局２００Ａは、ＵＥ１００からの測定報告に基づいて、例えばＵＥ１００と基地局２００Ａとの間の無線状態が改善したと判定した場合（ステップＳ１０８）が想定される。この場合、基地局２００Ａは、基地局２００Ｂを介して、ＲＲＣコンテナにより、ＤＣ接続（ＵＥ１００と基地局２００Ａとの間のＲＲＣ接続）を復旧させるための制御情報をＵＥ１００に送信してもよい。この制御情報は、基地局２００Ａへのランダムアクセスプロシージャに用いる非競合（Ｃｏｎｔｅｎｔｉｏｎ−ｆｒｅｅ）ランダムアクセスプリアンブルや、基地局２００Ａとの無線通信に用いる無線設定などを含む。
【手続補正４】
【補正対象書類名】明細書
【補正対象項目名】００８０
【補正方法】変更
【補正の内容】
【００８０】
ステップＳ１０８において、ＵＥ１００及び基地局２００Ａは、ＭＣＧリンクを復旧させる。ここで、ＵＥ１００は、ＭＣＧリンクが改善した旨の通知を、基地局２００Ｂを介して、ＲＲＣコンテナにより基地局２００Ａに送信してもよい。基地局２００Ａは、ＵＥ１００からの通知に対する応答を、ＭＣＧリンク経由で例えばＲＲＣ  ＲｅｃｏｎｆｉｇｕｒａｔｉｏｎメッセージによりＵＥ１００に直接的に送信してもよい。或いは、基地局２００Ａは、ＵＥ１００からの通知に対する応答を、基地局２００Ｂを介してＲＲＣコンテナによりＵＥ１００に送信してもよい。
【手続補正５】
【補正対象書類名】明細書
【補正対象項目名】０１３４
【補正方法】変更
【補正の内容】
【０１３４】
ＬＴＥ  ｆｅＭＯＢで議論されていたのと同様に、ＭＮ（マスタノード）とＳＮ（セカンダリノード）の役割変更の種類が考慮されるだろう。例えば、ＭＣＧリンクでＲＬＦが起こった場合、ＭＣＧの役割は現在のＳＣＧリンクと交換される。そのため、ＭＣＧ障害は前もって避けられることが期待され、ランダムアクセス手順に関連する遅延も避けられる可能性がある。ＳＲＢ３を介して、ＵＥはＳＮにＭＣＧ  ＲＬＦの可能性を通知し、ＳＮはＵＥを適切に制御してもよい。
【手続補正６】
【補正対象書類名】特許請求の範囲
【補正対象項目名】全文
【補正方法】変更
【補正の内容】
【特許請求の範囲】
【請求項１】
ユーザ装置がマスタノード及びセカンダリノードと同時に通信するデュアルコネクティビティ通信を制御するための通信制御方法であって、
前記ユーザ装置が、前記マスタノードとして機能する第１基地局と前記ユーザ装置との間の無線リンクの障害を検知することと、
前記ユーザ装置が、前記無線リンクの障害を前記第１基地局へ通知するための第１メッセージを、前記セカンダリノードとして機能する第２基地局と前記ユーザ装置との間に確立されるシグナリングベアラを介して、前記第２基地局に送信することと、
前記ユーザ装置が、前記第１基地局との通信を復旧するために前記第１基地局が前記ユーザ装置に設定するＲＲＣ設定を示す第２メッセージを、前記シグナリングベアラを介して前記第２基地局から受信することと、を含み、
前記第１メッセージは、前記無線リンクの障害の種別を示す情報要素と、前記第１基地局の無線状態の測定結果を示す情報要素と、前記第２基地局の無線状態の測定結果を示す情報要素と、を含む
通信制御方法。
【請求項２】
前記ユーザ装置が、前記無線リンクの障害を検知した後において、前記第１基地局に対する無線環境の測定を継続することをさらに含む
請求項１に記載の通信制御方法。
【請求項３】
前記ユーザ装置が、前記第１メッセージの送信に応じてタイマを起動することと、
前記ユーザ装置が、前記第１基地局との通信を復旧することなく前記タイマが満了した場合、ＲＲＣ接続を確立するための手順を行うことをさらに含む
請求項１に記載の通信制御方法。
【請求項４】
前記第１基地局が、前記第１メッセージに応じて、ハンドオーバを実行するためのメッセージを送信することをさらに含む
請求項１に記載の通信制御方法。
【請求項５】
マスタノード及びセカンダリノードと同時に通信するデュアルコネクティビティ通信を実行する制御部を備えるユーザ装置であって、
前記制御部は、
前記マスタノードとして機能する第１基地局と前記ユーザ装置との間の無線リンクの障害を検知し、
前記無線リンクの障害を前記第１基地局へ通知するための第１メッセージを、前記セカンダリノードとして機能する第２基地局と前記ユーザ装置との間に確立されるシグナリングベアラを介して、前記第２基地局に送信し、
前記第１基地局との通信を復旧するために前記第１基地局が前記ユーザ装置に設定するＲＲＣ設定を示す第２メッセージを、前記シグナリングベアラを介して前記第２基地局から受信し、
前記第１メッセージは、前記無線リンクの障害の種別を示す情報要素と、前記第１基地局の無線状態の測定結果を示す情報要素と、前記第２基地局の無線状態の測定結果を示す情報要素と、を含む
ユーザ装置。
【請求項６】
マスタノード及びセカンダリノードと同時に通信するデュアルコネクティビティ通信を実行するユーザ装置を制御するためのプロセッサであって、
前記マスタノードとして機能する第１基地局と前記ユーザ装置との間の無線リンクの障害を検知する処理と、
前記無線リンクの障害を前記第１基地局へ通知するための第１メッセージを、前記セカンダリノードとして機能する第２基地局と前記ユーザ装置との間に確立されるシグナリングベアラを介して、前記第２基地局に送信する処理と、
前記第１基地局との通信を復旧するために前記第１基地局が前記ユーザ装置に設定するＲＲＣ設定を示す第２メッセージを、前記シグナリングベアラを介して前記第２基地局から受信する処理と、を実行し、
前記第１メッセージは、前記無線リンクの障害の種別を示す情報要素と、前記第１基地局の無線状態の測定結果を示す情報要素と、前記第２基地局の無線状態の測定結果を示す情報要素と、を含む
プロセッサ。
【国際調査報告】
2020166666.tif 000012
2020166666.tif 000013
2020166666.tif 000014
2020166666.tif 000015